(57)【要約】【課題】画質を高めることができる表示装置を得る。【解決手段】それぞれが独立して表示駆動される複数のセグメント（サブ画素部分ＰＡ，ＰＢ）からなる画素（サブ画素ＳＰix）が配列されてなる液晶表示部と、液晶表示部からの光線または液晶表示部に向かう光線に対して制御を行う光線制御部とを備える。表示装置は、互いに異なる画素情報に由来する複数の画素信号が、画素内の複数のセグメントにそれぞれ供給される第１の表示モードを有する。【選択図】図８
2013057824.tif 000002
【特許請求の範囲】
【請求項１】
それぞれが独立して表示駆動される複数のセグメントからなる画素が配列されてなる液晶表示部と、
前記液晶表示部からの光線または前記液晶表示部に向かう光線に対して制御を行う光線制御部と
を備え、
互いに異なる画素情報に由来する複数の画素信号が、前記画素内の前記複数のセグメントにそれぞれ供給される第１の表示モードを有する
表示装置。
【請求項２】
前記互いに異なる画素情報は、互いに異なる視点画像における、対応する画素情報である
請求項１に記載の表示装置。
【請求項３】
前記互いに異なる画素情報は、同じもしくは互いに異なる視点画像における、異なる位置の画素情報である
請求項１に記載の表示装置。
【請求項４】
各画素内の前記複数のセグメントのそれぞれと対応づけられた輝度補正テーブルを有し、その輝度補正テーブルを用いて、前記画素情報を補正して前記液晶表示部を駆動する表示駆動部をさらに備えた
請求項１に記載の表示装置。
【請求項５】
前記複数の補正テーブルは互いに等しく、
前記表示駆動部は、各セグメントに対応づけられた画素情報に基づいて画素信号を生成する
請求項４に記載の表示装置。
【請求項６】
第２の表示モードをさらに有し、
前記第２の表示モードにおいて、
前記複数の補正テーブルは互いに異なり、
前記表示駆動部は、各画素に対応づけられた画素情報に基づいて画素信号を生成する
請求項４に記載の表示装置。
【請求項７】
前記光線制御部は、光を透過または遮断するバリア部であり、
前記バリア部は、開状態と閉状態とを切り換え可能な、複数の第１系列の液晶バリアおよび複数の第２系列の液晶バリアを有する
請求項６に記載の表示装置。
【請求項８】
前記第１の表示モードでは、前記複数の第１系列の液晶バリアが透過状態になるとともに、前記複数の第２系列の液晶バリアが遮断状態になることにより、複数の視点映像を表示し、
前記第２の表示モードでは、前記複数の第１系列の液晶バリアおよび前記複数の第２系列の液晶バリアが透過状態になることにより、１つの視点映像を表示する
請求項７に記載の表示装置。
【請求項９】
前記光線制御部は、光を透過または遮断するバリア部であり、
前記バリア部は、複数の固定された開口部を有する
請求項１に記載の表示装置。
【請求項１０】
前記光線制御部は、屈折率を切り換え可能な、複数の可変レンズを有する
請求項１に記載の表示装置。
【請求項１１】
前記光線制御部は、複数の固定されたレンズを有する
請求項１に記載の表示装置。
【請求項１２】
前記複数のセグメントは、各画素内において垂直方向に並設されている
請求項１に記載の表示装置
【請求項１３】
前記複数のセグメントは、各画素内において水平方向に並設されている
請求項１に記載の表示装置
【請求項１４】
各画素は、２つのセグメントを有する
請求項１に記載の表示装置
【請求項１５】
各セグメントは、液晶分子の配向方向が互いに異なる複数のドメインから成っている
請求項１に記載の表示装置
【請求項１６】
バックライトをさらに備え、
前記液晶表示部は、前記バックライトと前記光線制御部との間に配置されている
請求項１に記載の表示装置。
【請求項１７】
バックライトをさらに備え、
前記光線制御部は、前記バックライトと前記液晶表示部との間に配置されている
請求項１に記載の表示装置。
【請求項１８】
第１の表示モードにおいて、各画素内において独立して表示駆動される複数のセグメントのそれぞれに、互いに異なる画素情報に由来する複数の画素信号を供給し、
各セグメントが前記画素信号に基づいて表示を行い、
各セグメントからの光線または各セグメントに向かう光線に対して制御を行う
表示方法。
【請求項１９】
表示装置と、
前記表示装置を利用した動作制御を行う制御部と
を備え、
前記表示装置は、
それぞれが独立して表示駆動される複数のセグメントからなる画素が配列されてなる液晶表示部と、
前記液晶表示部からの光線または前記液晶表示部に向かう光線に対して制御を行う光線制御部と
を有し、
互いに異なる画素情報に由来する複数の画素信号が、前記画素内の前記複数のセグメントにそれぞれ供給される第１の表示モードを有する
電子機器。
【発明の詳細な説明】
【技術分野】
【０００１】
本開示は、立体視表示が可能な表示装置、そのような表示装置に用いられる表示方法、ならびにそのような表示装置を含んで構成される電子機器に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、パララックスバリア（視差バリア）方式や、レンチキュラーレンズ方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【０００４】
ところで、一般に表示装置では、観察者が、表示画面の上下左右の広い方向から良好な画像を観察できることが望まれており、このような広い視野角特性を得るための様々な方法が開示されている。例えば、特許文献２，３には、画素電極を複数の副画素電極に分割し、画素電圧を、各副画素電極に互いに異なる比率で印加する表示装置が開示されている。
【先行技術文献】
【特許文献】
【０００５】
【特許文献１】特開平３−１１９８８９号公報
【特許文献２】特開平６−３３２００９号公報
【特許文献３】特開２００６−１８９６８４号公報
【発明の概要】
【発明が解決しようとする課題】
【０００６】
ところで、立体視表示を実現できる表示装置では、一般的に、立体視表示の際に、より多くの視点映像を表示する場合には表示画像の解像度が低下してしまい、あるいは、表示画像の解像度を高くする場合には、表示する視点映像の数が少なくなってしまう。このように、これらの表示装置では、立体視表示の際の画質を高めることが難しい。また、特許文献２，３には、立体視表示に関する記載はいっさいない。
【０００７】
本開示はかかる問題点に鑑みてなされたもので、その目的は、画質を高めることができる表示装置、表示方法、および電子機器を提供することにある。
【課題を解決するための手段】
【０００８】
本開示の表示装置は、液晶表示部と、光線制御部とを備えている。液晶表示部は、それぞれが独立して表示駆動される複数のセグメントからなる画素が配列されてなるものである。光線制御部は、液晶表示部からの光線または液晶表示部に向かう光線に対して制御を行うものである。上記表示装置は、互いに異なる画素情報に由来する複数の画素信号が、画素内の複数のセグメントにそれぞれ供給される第１の表示モードを有するものである。
【０００９】
本開示の表示方法は、第１の表示モードにおいて、各画素内において独立して表示駆動される複数のセグメントのそれぞれに、互いに異なる画素情報に由来する複数の画素信号を供給し、各セグメントが画素信号に基づいて表示を行い、各セグメントからの光線または各セグメントに向かう光線に対して制御を行うものである。
【００１０】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１１】
本開示の表示装置、表示方法、および電子機器では、光線制御部により光線が制御されることにより、各画素内の複数のセグメントにおける表示が、観察者に視認される。その際、各画素内の複数のセグメントには、第１の表示モードにおいて、互いに異なる画素情報に由来する複数の画素信号が供給される。
【発明の効果】
【００１２】
本開示の表示装置、表示方法、および電子機器によれば、各画素内の複数のセグメントに、互いに異なる画素情報に由来する複数の画素信号を供給するようにしたので、画質を高めることができる。
【図面の簡単な説明】
【００１３】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】第１の実施の形態に係る表示部の一構成例を表す説明図である。
【図５】図４に示した表示部の一構成例を表す回路図および断面図である。
【図６】図５に示した液晶層の一動作例を表す模式図である。
【図７】図１に示したバリア部の一構成例を表す説明図である。
【図８】図１に示した表示部およびバリア部の位置関係を表す説明図である。
【図９】図４に示した立体表示装置の一動作例を表す模式図である。
【図１０】図４に示した表示部の一特性例を表す特性図である。
【図１１】図５に示した液晶層の中間調の状態における一動作例を表す模式図である。
【図１２】図４に示した表示部の視野角特性の一例を表す特性図である。
【図１３】図１に示した立体表示装置における立体視表示の一動作例を表す模式図である。
【図１４】比較例に係る表示部を表す説明図である。
【図１５】比較例に係る液晶層の中間調の状態における一動作例を表す模式図である。
【図１６】比較例に係る表示部の視野角特性の一例を表す特性図である。
【図１７】比較例に係る立体表示装置における立体視表示の一動作例を表す模式図である。
【図１８】第１の実施の形態の変形例に係る表示部の一構成例を表す回路図である。
【図１９】第１の実施の形態の他の変形例に係る表示部およびバリア部の位置関係を表す説明図である。
【図２０】第１の実施の形態の他の変形例に係る表示部の一構成例を表す説明図である。
【図２１】第１の実施の形態の他の変形例に係る表示部およびバリア部の位置関係を表す説明図である。
【図２２】第１の実施の形態の他の変形例に係る立体表示装置における立体視表示の一動作例を表す模式図である。
【図２３】第２の実施の形態に係る表示部およびバリア部の位置関係を表す説明図である。
【図２４】第２の実施の形態の変形例に係る表示部およびバリア部の位置関係を表す説明図である。
【図２５】第２の実施の形態の他の変形例に係る表示部およびバリア部の位置関係を表す説明図である。
【図２６】実施の形態に係る立体表示装置を適用したテレビジョン装置の外観構成を表す斜視図である。
【図２７】変形例に係る立体表示装置の一構成例を表す説明図である。
【図２８】変形例に係る立体表示装置における立体視表示の一動作例を表す模式図である。
【図２９】他の変形例に係る立体表示装置における立体視表示の一動作例を表す模式図である。
【発明を実施するための形態】
【００１４】
以下、本開示の実施の形態について、図面を参照して詳細に説明する。なお、説明は以下の順序で行う。
１．第１の実施の形態
２．第２の実施の形態
３．適用例
【００１５】
＜１．第１の実施の形態＞
［構成例］
（全体構成例）
図１は、実施の形態に係る立体表示装置１の一構成例を表すものである。立体表示装置１は、液晶バリアを用いた、パララックスバリア方式の表示装置である。なお、本開示の実施の形態に係る表示方法は、本実施の形態により具現化されるので、併せて説明する。立体表示装置１は、制御部４１と、バックライト駆動部４２と、バックライト３０と、表示駆動部５０と、表示部２０と、バリア駆動部４３と、バリア部１０とを備えている。
【００１６】
制御部４１は、外部より供給される映像信号Ｓdispに基づいて、バックライト駆動部４２、表示駆動部５０、およびバリア駆動部４３に対してそれぞれ制御信号を供給し、これらがお互いに同期して動作するように制御する回路である。具体的には、制御部４１は、バックライト駆動部４２に対してバックライト制御信号を供給し、表示駆動部５０に対して映像信号Ｓdispに基づいて生成した映像信号Ｓdisp2を供給し、バリア駆動部４３に対してバリア制御信号を供給するようになっている。ここで、映像信号Ｓdisp2は、立体表示装置１が通常表示（２次元表示）を行う場合には、１つの視点映像を含む映像信号Ｓ２Ｄであり、立体表示装置１が立体視表示を行う場合には、後述するように、複数（この例では１０）の視点映像を含む映像信号Ｓ３Ｄである。
【００１７】
バックライト駆動部４２は、制御部４１から供給されるバックライト制御信号に基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１８】
表示駆動部５０は、制御部４１から供給される映像信号Ｓdisp2に基づいて表示部２０を駆動するものである。表示部２０は、この例では液晶表示部であり、液晶表示素子を駆動して、バックライト３０から射出した光を変調することにより表示を行うようになっている。
【００１９】
バリア駆動部４３は、制御部４１から供給されるバリア制御信号に基づいて、バリア部１０を駆動するものである。バリア部１０は、バックライト３０から射出し表示部２０を透過した光を透過（開動作）または遮断（閉動作）するものであり、液晶を用いて構成された複数の開閉部１１，１２（後述）を有している。
【００２０】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、およびバリア部１０の順に配置されている。つまり、バックライト３０から射出した光は、表示部２０およびバリア部１０を介して、観察者に届くようになっている。
【００２１】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。  タイミング制御部５１は、ゲートドライバ５２およびデータドライバ５３の駆動タイミングを制御するとともに、制御部４１から供給された映像信号Ｓdisp2に基づいて映像信号Ｓdisp3を生成し、データドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓdisp3に基づく画素信号を供給するものである。具体的には、データドライバ５３は、映像信号Ｓdisp3に基づいてＤ／Ａ（デジタル／アナログ）変換を行うことにより、アナログ信号である画素信号を生成し、各画素Ｐixへ供給するようになっている。
【００２２】
タイミング制御部５１は、ＬＵＴ（Look Up Table）５４Ａ，５４Ｂを有している。このＬＵＴ５４Ａ，５４Ｂは、映像信号Ｓdisp2に含まれる各画素Ｐixのための画素情報（輝度情報）に対して、いわゆるガンマ補正を行うためのテーブルであり、ＬＵＴ５４Ａは、サブ画素ＳＰixのサブ画素部分ＰＡ（後述）のためのテーブルであり、ＬＵＴ５４Ｂは、サブ画素ＳＰixのサブ画素部分ＰＢ（後述）のためのテーブルである。ＬＵＴ５４Ａ，５４Ｂは、後述するように、立体表示装置１が通常表示（２次元表示）を行う場合には、互いに異なるように設定され、立体表示装置１が立体視表示を行う場合には、互いに等しくなるように設定されるものである。そして、タイミング制御部５１は、ガンマ補正された画素情報（輝度情報）に基づいて、映像信号Ｓdisp3を生成するようになっている。そして、データドライバ５３は、このガンマ補正された画素情報（輝度情報）に基づいて、画素信号を生成し、各画素Ｐixへ供給する。
【００２３】
具体的には、タイミング制御部５１は、立体表示装置１が通常表示（２次元表示）を行う場合には、ある画素情報（輝度情報）に対して、ＬＵＴ５４Ａ，５４Ｂを用いて互いに異なるガンマ補正を行い、データドライバ５３は、ＬＵＴ５４Ａを用いて生成された画素信号を、あるサブ画素ＳＰixのサブ画素部分ＰＡ（後述）に供給するとともに、ＬＵＴ５４Ｂを用いて生成された画素信号を、そのサブ画素ＳＰixのサブ画素部分ＰＢ（後述）に供給する。そして、表示部２０では、後述するように、サブ画素部分ＰＡ，ＰＢは、それらの画素信号に基づいてそれぞれ表示を行う。すなわち、サブ画素部分ＰＡ，ＰＢは、通常表示の際には、１つの画素情報を異なるガンマ特性で表示する、いわゆるハーフトーン駆動による表示を行う。
【００２４】
また、タイミング制御部５１は、立体表示装置１が立体視表示を行う場合には、互いに異なる視点映像の画素情報（輝度情報）に対して、ＬＵＴ５４Ａ，５４Ｂを用いてそれぞれガンマ補正を行い、データドライバ５３は、ＬＵＴ５４Ａを用いて生成された画素信号を、あるサブ画素ＳＰixのサブ画素部分ＰＡ（後述）に供給するとともに、ＬＵＴ５４Ｂを用いて生成された画素信号を、そのサブ画素ＳＰixのサブ画素部分ＰＢ（後述）に供給する。そして、表示部２０では、後述するように、サブ画素部分ＰＡ，ＰＢは、それらの画素情報に基づいて、独立して表示を行うようになっている。
【００２５】
図４は、表示部２０における画素Ｐixの配列を表すものである。表示部２０には、画素Ｐixがマトリクス状に配置されている。各画素Ｐixは、赤色（Ｒ）、緑色（Ｇ）、青色（Ｂ）にそれぞれ対応する３つのサブ画素ＳＰixを有している。この例では、水平方向Ｘにおいて、赤色（Ｒ）、緑色（Ｇ）、青色（Ｂ）のサブ画素ＳＰixがこの順で繰り返し配置されるとともに、垂直方向Ｙにおいて、同じ色のサブ画素ＳＰixが繰り返し配置されている。なお、以下の図では、サブ画素ＳＰixの各色を、互いに異なるハッチングによって示している。
【００２６】
各サブ画素ＳＰixは、サブ画素部分ＰＡ，ＰＢを有している。この例では、サブ画素部分ＰＡ，ＰＢは、サブ画素ＳＰix内において垂直方向Ｙに並設されている。サブ画素部分ＰＡ，ＰＢは、独立して表示可能に構成されたものである。具体的には、サブ画素部分ＰＡ，ＰＢは、立体表示装置１が通常表示（２次元表示）を行う場合には、１つの視点映像のある画素情報に基づく表示を行い、立体表示装置１が立体視表示を行う場合には、互いに異なる視点映像の画素情報に基づく表示を独立して行うようになっている。
【００２７】
図５は、表示部２０の一構成例を表すものであり、（Ａ）はサブ画素ＳＰixの回路図の一例を示し、（Ｂ）は表示部２０の断面構成を示す。
【００２８】
図５（Ａ）に示したように、サブ画素ＳＰixのサブ画素部分ＰＡ，ＰＢは、それぞれ、例えばＭＯＳ−ＦＥＴ（Metal Oxide Semiconductor-Field Effect Transistor）により構成されるＴＦＴ（Thin Film Transistor）素子Ｔｒ（ＴｒＡ，ＴｒＢ）と、液晶素子ＬＣ（ＬＣＡ，ＬＣＢ）と、保持容量素子Ｃｓ（ＣｓＡ，ＣｓＢ）を備えている。具体的には、サブ画素部分ＰＡは、ＴＦＴ素子ＴｒＡと、液晶素子ＬＣＡと、保持容量素子ＣｓＡとを備えている。ＴＦＴ素子ＴｒＡは、ゲートがゲート線ＧＣＬＡに接続され、ソースがデータ線ＳＧＬに接続され、ドレインが液晶素子ＬＣＡの一端と保持容量素子ＣｓＡの一端に接続されている。液晶素子ＬＣＡは、一端がＴＦＴ素子ＴｒＡのドレインに接続され、他端は共通電極ＣＯＭに接続されて接地されている。保持容量素子ＣｓＡは、一端がＴＦＴ素子ＴｒＡのドレインに接続され、他端は保持容量線ＣＳＬに接続されている。同様に、サブ画素部分ＰＢは、ＴＦＴ素子ＴｒＢと、液晶素子ＬＣＢと、保持容量素子ＣｓＢとを備えている。ＴＦＴ素子ＴｒＢは、ゲートがゲート線ＧＣＬＢに接続され、ソースがデータ線ＳＧＬに接続され、ドレインが液晶素子ＬＣＢの一端と保持容量素子ＣｓＢの一端に接続されている。液晶素子ＬＣＢは、一端がＴＦＴ素子ＴｒＢのドレインに接続され、他端は共通電極ＣＯＭに接続されて接地されている。保持容量素子ＣｓＢは、一端がＴＦＴ素子ＴｒＢのドレインに接続され、他端は保持容量線ＣＳＬに接続されている。ゲート線ＧＣＬＡ，ＧＣＬＢはゲートドライバ５２に接続され、データ線ＳＧＬはデータドライバ５３に接続されている。
【００２９】
表示部２０は、図５（Ｂ）に示したように、駆動基板２０７と対向基板２０８との間に、液晶層２０３を封止したものである。駆動基板２０７は、透明基板２０１と、画素電極２０２と、偏光板２０６ａとを有している。透明基板２０１は、例えばガラス等から構成されるものであり、ＴＦＴ素子Ｔｒが形成されたものである。この透明基板２０１上には、例えばＩＴＯ（Indium Tin Oxide）などからなる画素電極２０２が配設される。画素電極２０２は、サブ画素部分ＰＡ，ＰＢごとに設けられ、データドライバ５３からＴＦＴ素子ＴｒＡ，ＴｒＢを介して画素信号が印加される。画素電極２０２の上には、図示しない配向膜が形成されている。そして、透明基板２０１の、画素電極２０２等が配設された面とは反対の面には、偏光板２０６ａが貼り付けられている。対向基板２０８は、透明基板２０５と、対向電極２０４（共通電極ＣＯＭ）と、偏光板２０６ｂとを有している。透明基板２０５は、透明基板２０１と同様に、例えばガラス等から構成されるものである。透明基板２０５の液晶層２０３側の面には、図示しないカラーフィルタやブラックマトリクスが形成され、さらにその上には、例えばＩＴＯなどからなる対向電極２０４が配設されている。対向電極２０４は、各画素Ｐixに共通の電極として設けられたものであり、例えば０Ｖが印加される。そして、対向電極２０４のさらに上には、図示しない配向膜が形成されている。透明基板２０５の、対向電極２０４等が配設された面とは反対の面には、偏光板２０６ｂが貼り付けられている。偏光板２０６ａおよび偏光板２０６ｂは、互いにクロスニコルになるように貼り合わせられている。
【００３０】
液晶層２０３は、配向方向により光の透過率Ｔを変化させることができるものであり、例えば、負の誘電率異方性を有する液晶分子Ｍを含むものである。この液晶分子Ｍは、配向膜により、垂直配向されるものである。すなわち、液晶層２０３は、いわゆるＶＡ（Vertical Alignment）液晶として機能するものである。この例では、液晶層２０３は、通常表示（２次元表示）の際に、いわゆるハーフトーン駆動が行われ、これにより、立体表示装置１では、後述するように、視野角特性の低下を抑えることができるようになっている。
【００３１】
また、表示部２０は、後述するように、いわゆるマルチドメイン構成になっている。すなわち、表示部２０は、サブ画素部分ＰＡ，ＰＢのそれぞれにおいて、複数の領域（後述するドメインＤ１，Ｄ２）を設け、各領域において、液晶分子Ｍの配向方向が異なるように構成されている。これにより、立体表示装置１では、後述するように、視野角特性の低下を抑えることができるようになっている。
【００３２】
図６は、液晶層２０３の液晶分子Ｍの配向を表すものであり、（Ａ）は０Ｖの画素信号が画素電極２０２に印加された場合を示し、（Ｂ）は電圧Ｖｈの画素信号が印加された場合を示し、（Ｃ）は電圧Ｖｈより大きい電圧Ｖｗの画素信号が印加された場合を示す。ここで、電圧Ｖｈは、例えば４Ｖ程度であり、電圧Ｖｗは例えば８Ｖ程度である。
【００３３】
０Ｖの画素信号が画素電極２０２に印加された場合には、図６（Ａ）に示したように、液晶分子Ｍは、その長軸が基板面に対して垂直な方向になるように配向する。サブ画素部分ＰＡ，ＰＢの液晶分子Ｍの配向がこのような場合には、そのサブ画素部分ＰＡ，ＰＢでは、光の透過率が十分に低くなり、黒表示が行われる。
【００３４】
電圧Ｖｗの画素信号が画素電極２０２に印加された場合には、図６（Ｃ）に示したように、液晶分子Ｍは、その長軸が基板面に対して平行な方向になるように配向する。サブ画素部分ＰＡ，ＰＢの液晶分子Ｍの配向がこのような場合には、そのサブ画素部分ＰＡ，ＰＢでは、光の透過率が高くなり、いわゆる白表示が行われる。
【００３５】
また、電圧Ｖｈの画素信号が画素電極２０２に印加された場合には、図６（Ｂ）に示したように、液晶分子Ｍは、その長軸が図６（Ａ）に示した向きと図６（Ｃ）に示した向きの中間の向きに傾斜する。その際、図６（Ｂ）に示したように、液晶分子Ｍは、図において左側のドメインＤ１と右側のドメインＤ２とで、その傾斜する向きは異なるものの、その傾斜する程度（角度）は同等である。サブ画素部分ＰＡ，ＰＢの液晶分子Ｍの配向がこのような場合には、そのサブ画素部分ＰＡ，ＰＢでは、光の透過率が中程度となり、中間調の表示が行われる。
【００３６】
このように、表示部２０では、サブ画素部分ＰＡ，ＰＢの画素電極２０２に画素信号を印加することにより、液晶層２０３がその電圧に応じた液晶配向となり、サブ画素部分ＰＡ，ＰＢが独立して表示を行うことができるようになっている。
【００３７】
（バリア部１０）
図７は、バリア部１０の一構成例を表すものであり、（Ａ）はバリア部１０の平面図を示し、（Ｂ）は（Ａ）のバリア部１０のＶＩＩ−ＶＩＩ矢視方向の断面構成を示す。
【００３８】
バリア部１０は、いわゆるパララックスバリアであり、図７（Ａ）に示したように、光を透過または遮断する複数の開閉部（液晶バリア）１１，１２を有している。開閉部１１，１２は、ＸＹ平面における一方向（ここでは、例えば垂直方向Ｙから所定の角度θをなす方向）に延在して設けられている。この例では、開閉部１１の幅Ｗ１１と、開閉部１２の幅Ｗ１２とは、互いに異なっており、ここでは例えばＷ１１＞Ｗ１２となっている。但し、開閉部１１，１２の幅の大小関係はこれに限定されず、Ｗ１１＜Ｗ１２であってもよく、また、Ｗ１１＝Ｗ１２であってもよい。
【００３９】
バリア部１０は、図７（Ｂ）に示したように、例えばガラス等からなる透明基板１３と透明基板１６との間に液晶層１９を備えたものである。この例では、透明基板１３が光入射側、透明基板１６が光出射側に配置されている。透明基板１３の液晶層１９側の面、および透明基板１６の液晶層１９側の面には、例えばＩＴＯなどからなる透明電極層１５，１７がそれぞれ形成されている。これらの透明電極層１５，１７の液晶層１９側の面には、図示しない配向膜がそれぞれ形成されている。透明基板１３の光入射側および透明基板１６の光出射側には、偏光板１４，１８が、互いにクロスニコルになるように貼り合わせられている。
【００４０】
透明電極層１５は、複数の透明電極１１０，１２０を有している。そして、透明電極層１７は、各開閉部１１，１２に共通の電極として設けられている。この例では、透明電極層１７には０Ｖが印加されている。透明電極１１０と、液晶層１９および透明電極層１７におけるその透明電極１１０に対応する部分とは、開閉部１１を構成している。同様に、透明電極１２０と、液晶層１９および透明電極層１７におけるその透明電極１２０に対応する部分とは、開閉部１２を構成している。
【００４１】
このような構成により、バリア部１０では、透明電極１１０または透明電極１２０に電圧を選択的に印加することにより、液晶層１９がその電圧に応じた液晶配向になり、開閉部１１，１２毎の開閉動作を行うことができるようになっている。
【００４２】
これらの開閉部１１，１２は、立体表示装置１が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。開閉部１２は、後述するように、通常表示および立体視表示の両方において、開状態（透過状態）になるものである。
【００４３】
図８は、表示部２０におけるサブ画素ＳＰixと、バリア部１０における開閉部１２との位置関係を表すものである。開閉部１２は、この例では、水平方向Ｘに隣接する５つのサブ画素ＳＰix（サブ画素グループＰＧ）に１つの割合で設けられている。そして、表示部２０は、立体視表示を行う際、サブ画素グループＰＧ内の５つのサブ画素部分ＰＡおよび５つのサブ画素部分ＰＢにおいて、１０の視点映像に係る画素情報Ｐ１〜Ｐ１０をそれぞれ表示するようになっている。なお、図８では、説明の便宜上、画素情報Ｐ５を表示するサブ画素部分ＰＡにのみハッチングを施している。
【００４４】
図９は、立体視表示および通常表示（２次元表示）を行う場合のバリア部１０の状態を、断面構造を用いて模式的に表すものであり、（Ａ），（Ｂ）は立体視表示を行う状態を示し、（Ｃ）は通常表示を行う状態を示す。図９において、（Ａ）は、図８に示したサブ画素部分ＰＡ，ＰＢのうちの、サブ画素部分ＰＡの行における立体視表示を表すものであり、（Ｂ）は、サブ画素部分ＰＢの行における立体視表示を表すものである。また、図９において、斜線で示した開閉部１１は、光が遮断されている状態を示している。
【００４５】
立体視表示を行う場合には、表示駆動部５０に映像信号Ｓ３Ｄが供給され、表示部２０はそれに基づいて表示を行う。具体的には、図９（Ａ），（Ｂ）に示したように、バリア部１０では、開閉部１２が開状態（透過状態）になるとともに、開閉部１１が閉状態（遮断状態）になる。そして、表示部２０では、この開閉部１２に対応した位置に配置された互いに隣接する５つのサブ画素部分ＰＡおよび５つのサブ画素部分ＰＢ（サブ画素グループＰＧ）が、１０の視点映像のそれぞれに対応するサブ画素情報Ｐ１〜Ｐ１０を表示する。これにより、観察者は、後述するように、左眼と右眼とで互いに異なる視点映像を観察することにより、立体的な映像を見ることができる。
【００４６】
また、通常表示（２次元表示）を行う場合には、表示駆動部５０に映像信号Ｓ２Ｄが供給され、表示部２０はそれに基づいて表示を行う。具体的には、図９（Ｃ）に示したように、バリア部１０では、開閉部１１，１２がともに開状態（透過状態）になり、表示部２０では、全てのサブ画素ＳＰixが、１つの視点映像（２次元映像）に係る画素情報をそれぞれ表示する。これにより、観察者は、表示部２０に表示された通常の２次元映像をそのまま見ることができる。
【００４７】
ここで、サブ画素ＳＰixは、本開示における「画素」の一具体例に対応し、サブ画素部分ＰＡ，ＰＢは、本開示における「セグメント」の一具体例に対応する。立体視表示を行う動作モードは、本開示における「第１の表示モード」の一具体例に対応し、通常表示（２次元表示）を行う動作モードは、本開示における「第２の表示モード」の一具体例に対応する。ＬＵＴ５４Ａ，５４Ｂは、本開示における「輝度補正テーブル」の一具体例に対応する。開閉部１２は、本開示における「第１系列の液晶バリア」の一具体例に対応し、開閉部１１は、本開示における「第２系列の液晶バリア」の一具体例に対応する。
【００４８】
［動作および作用］
続いて、本実施の形態の立体表示装置１の動作および作用について説明する。
【００４９】
（全体動作概要）
まず、図１などを参照して、立体表示装置１の全体動作概要を説明する。制御部４１は、外部より供給される映像信号Ｓdispに基づいて、バックライト駆動部４２、表示駆動部５０、およびバリア駆動部４３を制御する。バックライト駆動部４２は、制御部４１から供給されるバックライト制御信号に基づいてバックライト３０を駆動する。バックライト３０は、面発光した光を表示部２０に対して射出する。表示駆動部５０は、制御部４１から供給される映像信号Ｓdisp2に基づいて表示部２０を駆動する。表示部２０は、バックライト３０から射出した光を変調することにより表示を行う。具体的には、表示部２０は、通常表示（２次元表示）の際には、サブ画素ＳＰixが１つの視点映像（２次元映像）に係る画素情報を表示する。また、表示部２０は、立体視表示の際には、サブ画素グループＰＧ内の５つのサブ画素部分ＰＡおよび５つのサブ画素部分ＰＢが１０の視点映像に係る画素情報をそれぞれ表示する。バリア駆動部４３は、制御部４１から供給されるバリア制御信号に基づいてバリア部１０を制御する。バリア部１０の開閉部１１，１２は、バリア駆動部４３からの指示に基づいて開閉動作を行い、バックライト３０から射出し表示部２０を透過した光を透過または遮断する。
【００５０】
（詳細動作）
まず、通常表示（２次元表示）を行う場合の詳細動作を説明する。通常表示を行う場合には、バリア部１０では、開閉部１１，１２が開状態（透過状態）になり、表示部２０では、サブ画素ＳＰixが、１つの視点映像（２次元映像）に係る画素情報をそれぞれ表示する。その際、タイミング制御部５１は、１つの画素情報（輝度情報）に対して、ＬＵＴ５４Ａ，５４Ｂを用いて異なるガンマ補正を行い、データドライバ５３は、ＬＵＴ５４Ａを用いて生成された画素信号を、あるサブ画素ＳＰixのサブ画素部分ＰＡに供給するとともに、ＬＵＴ５４Ｂを用いて生成された画素信号を、そのサブ画素ＳＰixのサブ画素部分ＰＢに供給する。そして、表示部２０では、サブ画素部分ＰＡ，ＰＢは、それらの画素信号に基づいてそれぞれ表示を行うことにより、その１つの画素情報に基づく表示を行う。
【００５１】
図１０は、通常表示の際のサブ画素ＳＰixにおける表示特性を表すものである。図１０において、横軸は輝度情報を示し、縦軸は光の透過率Ｔを示す。また、破線はサブ画素部分ＰＡにおける特性を示し、一点鎖線はサブ画素部分ＰＢにおける特性を示し、実線は、それらのサブ画素部分ＰＡ，ＰＢを含むサブ画素ＳＰix全体における特性を示す。
【００５２】
図１０に示したように、サブ画素部分ＰＡおよびサブ画素部分ＰＢは、異なる表示特性を有している。具体的には、輝度情報が増加する際、まず、サブ画素部分ＰＡにおける光の透過率が上昇し始め、その後に、サブ画素部分ＰＢにおける光の透過率が上昇し始める。すなわち、表示装置２０では、いわゆる中間調の状態において、サブ画素部分ＰＡにおける液晶分子Ｍの配向方向と、サブ画素部分ＰＢにおける液晶分子Ｍの配向方向は、互いに異なるように駆動される。これにより、そのサブ画素部分ＰＡ，ＰＢを含むサブ画素ＳＰix全体での光の透過率の特性は、図１０に示したように、サブ画素部分ＰＡの特性とサブ画素部分ＰＢの特性の中間の特性となり、輝度情報が増加する際の透過率Ｔの変化が緩やかになる。
【００５３】
表示部２０では、このように、中間調の状態において、サブ画素部分ＰＡにおける液晶分子Ｍの配向方向と、サブ画素部分ＰＢにおける液晶分子Ｍの配向方向とが異なるように駆動されるため、液晶分子Ｍの配向に起因する視野角特性の低下を低減することができる。以下に、その詳細を説明する。
【００５４】
図１１は、中間調の状態における液晶分子Ｍの配向を表すものである。一般に、液晶表示装置では、観察者が観察する方向と液晶分子Ｍの長軸の方向との間の相対的な関係によって、光の透過率が変化する。具体的には、図１１に示した例では、ドメインＤ１において、観察者が左上から観察した場合には、観察方向と液晶分子Ｍの長軸の方向とがほぼ同じになるため、透過率Ｔが低くなり、一方、右上から観察した場合には、観察方向と液晶分子Ｍの長軸の方向とが大きく異なるため、透過率Ｔが高くなる。同様に、ドメインＤ２において、観察者が右上から観察した場合には、観察方向と液晶分子Ｍの長軸の方向とがほぼ同じになるため、透過率Ｔが低くなり、一方、左上から観察した場合には、観察方向と液晶分子Ｍの長軸の方向とが大きく異なるため、透過率Ｔが高くなる。その際、表示部２０では、後述する比較例とは異なり、サブ画素部分ＰＡ，ＰＢを設けたので、サブ画素部分ＰＡ，ＰＢで液晶分子Ｍの配向方向が互いに異なるようにすることができ、観察方向による透過率Ｔの違いを低減することができる。
【００５５】
図１２は、表示部２０における視野角特性を表すものである。この図１２は、いくつかの観察方向（観察角度φ）から輝度Ｉを観察することにより、視野角特性を示すものである。ここで、観察角度φは、表示画面の法線方向からの角度（極角）を示すものである。すなわち、例えば、観察角度φ＝０［deg］は、観察者が表示画面の正面から観察する場合を示し、観察角度φ＝６０［deg］は、観察者が、表示画面の法線方向から６０［deg］ずれた方向から観察する場合を示している。
【００５６】
図１２に示したように、表示部２０では、観察者が斜めから観察した場合に液晶層２０３の透過率Ｔが高くなり、輝度が上昇する。その際、表示部２０では、サブ画素部分ＰＡ，ＰＢを設け、サブ画素部分ＰＡ，ＰＢで液晶分子Ｍの配向方向が互いに異なるようにしたので、後述する比較例に比べて、観察角度φを変化させたときの輝度Ｉの変化を小さくすることができる。言い換えれば、表示部２０では、観察者が、表示画面の正面から観察したときと、正面からずれた方向から観察したときとで、その見え方の差が小さくすることができ、広い視野角を実現することができる。
【００５７】
次に、立体視表示を行う場合の詳細動作を説明する。立体視表示を行う場合には、タイミング制御部５１は、互いに異なる視点映像の画素情報（輝度情報）に対して、ＬＵＴ５４Ａ，５４Ｂを用いてそれぞれガンマ補正を行い、データドライバ５３は、ＬＵＴ５４Ａを用いて生成された画素信号を、あるサブ画素ＳＰixのサブ画素部分ＰＡに供給するとともに、ＬＵＴ５４Ｂを用いて生成された画素信号を、そのサブ画素ＳＰixのサブ画素部分ＰＢに供給する。そして、表示部２０では、サブ画素部分ＰＡ，ＰＢは、それらの画素情報に基づいて、異なる視点映像に係る画素情報を表示する。
【００５８】
図１３は、立体表示装置１における立体視表示の動作例を表すものであり、（Ａ）はサブ画素部分ＰＡの行における表示を示し、（Ｂ）はサブ画素部分ＰＢの行における表示を示し、（Ｃ）はサブ画素グループＰＧ全体における表示を模式的に示す。
【００５９】
立体視表示を行う場合には、バリア部１０では、開閉部１２が開状態（透過状態）になるとともに、開閉部１１が閉状態（遮断状態）になる。そして、表示部２０では、開閉部１２付近に配置された５つのサブ画素部分ＰＡが、画素情報Ｐ１，Ｐ３，Ｐ５，Ｐ７，Ｐ９をそれぞれ表示するとともに（図１３（Ａ））、開閉部１２付近に配置された５つのサブ画素部分ＰＢが、画素情報Ｐ２，Ｐ４，Ｐ６，Ｐ８，Ｐ１０をそれぞれ表示する（図１３（Ｂ））。そして、表示部２０の各サブ画素部分ＰＡ，ＰＢから出た光は、開閉部１２によりそれぞれ角度が制限されて出力される。その際、図８に示したように、開閉部１２が斜め方向に延伸しているため、サブ画素部分ＰＡに対する開閉部１２の位置と、サブ画素部分ＰＢに対する開閉部１２の位置とは、互いにずれることとなり、図１３（Ａ），（Ｂ）に示したように、例えば、画素情報Ｐ１に係る光と、画素情報Ｐ２に係る光とは、互いに異なる方向に進む。このようにして、各サブ画素部分ＰＡ，ＰＢから出た画素情報Ｐ１〜Ｐ１０に係る光は、互いに異なる１０の方向に進む。そして、観察者は、例えば左眼で画素情報Ｐ５を、右眼で画素情報Ｐ６を見ることとなる。このように、観察者が、左眼と右眼とで、画素情報Ｐ１〜Ｐ１０のうちの異なる画素情報を見るため、観察者は表示映像を立体的な映像として感じることができる。
【００６０】
（比較例）
次に、比較例に係る立体表示装置１Ｒについて説明する。本比較例は、サブ画素部分ＰＡ，ＰＢを設けないサブ画素ＳＰixRを用いて、表示部２０Ｒを構成したものである。この表示部２０Ｒは、図示しない表示駆動部５０Ｒにより、サブ画素ＳＰixRごとに駆動されるものである。その他の構成は、本実施の形態（図１）と同様である。
【００６１】
図１４は、立体表示装置１Ｒの表示部２０Ｒの一構成例を表すものである。表示部２０Ｒには、画素ＰixRがマトリクス状に配置されており、各画素ＰixRは、赤色（Ｒ）、緑色（Ｇ）、青色（Ｂ）にそれぞれ対応する３つのサブ画素ＳＰixRを有している。本比較例に係るサブ画素ＳＰixRは、本実施の形態に係るサブ画素ＳＰixとは異なり、サブ画素部分ＰＡ，ＰＢが設けられていないものである。立体表示装置１Ｒでは、開閉部１２は、図１４に示したように、水平方向Ｘに隣接する５つのサブ画素ＳＰixR（サブ画素グループＰＧＲ）に１つの割合で設けられている。このサブ画素グループＰＧＲの大きさは、本実施の形態に係るサブ画素グループＰＧ（図８）と同じである。
【００６２】
まず、通常表示（２次元表示）を行う場合について説明する。
【００６３】
図１５は、本比較例に係るサブ画素ＳＰixRにおける、中間調の状態での液晶分子Ｍの配向を表すものであり、図１６は、本比較例に係る表示部２０Ｒにおける視野角特性を表すものである。中間調の状態では、本実施の形態の場合（図１１，１２）と同様に、観察者が斜めから観察した場合には液晶層２０３の透過率Ｔが高くなり、輝度が上昇する。その際、本比較例に係る表示部２０Ｒでは、１つのサブ画素ＳpixRにおいて、液晶分子Ｍが同程度の角度で傾斜するため、異なる方向から観察した場合に、透過率Ｔが大きく変化するおそれがある。この場合には、図１６に示したように、観察角度φを変化させたときの輝度Ｉの変化が大きくなってしまう。
【００６４】
一方、本実施の形態に係る立体表示装置１では、図１１に示したように、サブ画素ＳＰixにサブ画素部分ＰＡ，ＰＢを設けたので、サブ画素部分ＰＡとサブ画素部分ＰＢとで、液晶分子Ｍが互いに異なる角度で傾斜することができ、透過率Ｔがサブ画素部分ＰＡ，ＰＢで平均化されるため、観察方向による透過率Ｔの違いを低減することができる。これにより、図１２に示したように、観察角度φを変化させたときの輝度Ｉの変化を小さくすることができ、広い視野角を実現することができる。
【００６５】
次に、立体視表示を行う場合について説明する。
【００６６】
図１７は、本比較例に係る立体表示装置１Ｒにおける立体視表示の動作例を表すものである。立体視表示を行う場合、立体表示装置１Ｒでは、開閉部１２付近に配置された５つのサブ画素ＳＰixR（サブ画素グループＰＧＲ）が、５つの視点映像に係る画素情報Ｐ１〜Ｐ５をそれぞれ表示する。すなわち、立体表示装置１Ｒは、５つの視点映像を表示する。
【００６７】
一方、本実施の形態に係る立体表示装置１では、各サブ画素ＳＰix内にサブ画素部分ＰＡ，ＰＢを設け、独立して駆動できるようにしたので、表示できる視点映像の数を２倍（１０＝５×２）に増やすことができる。また、本実施の形態に係るサブ画素グループＰＧ（図８）の大きさは、本比較例に係るサブ画素グループＰＧＲ（図１４）の大きさと同じであるため、立体視表示の際の解像度は同じである。すなわち、本実施の形態に係る立体表示装置１は、本比較例に係る立体表示装置１Ｒと比較して、表示の解像度を維持したまま、表示できる視点映像の数を増やすことができる。
【００６８】
［効果］
以上のように本実施の形態では、サブ画素に、独立して表示が可能な２つのサブ画素部分ＰＡ，ＰＢを設けるようにしたので、立体視表示の際に、互いに異なる視点映像を表示することができ、解像度の低下を抑えつつ、表示する視点映像の数を増やすことにより、画質を高めることができる。
【００６９】
また、本実施の形態では、通常表示の際に、サブ画素部分ＰＡ，ＰＢが、異なるガンマ補正を施した画素情報を表示するようにしたので、広い視野角を実現することができ、画質を高めることができる。
【００７０】
［変形例１−１］
上記実施の形態では、図５に示したように、画素信号を供給するデータ線ＳＧＬを、２つのサブ画素部分ＰＡ，ＰＢで共用したが、これに限定されるものではなく、これに代えて、例えば、図１８に示したように、ゲート線ＧＣＬを、２つのサブ画素部分ＰＡ，ＰＢで共用してもよい。サブ画素部分ＰＡでは、ＴＦＴ素子ＴｒＡは、ゲートがゲート線ＧＣＬに接続され、ソースがデータ線ＳＧＬＡに接続され、ドレインが液晶素子ＬＣＡの一端と保持容量素子ＣｓＡの一端に接続されている。同様に、サブ画素部分ＰＢでは、ＴＦＴ素子ＴｒＢは、ゲートがゲート線ＧＣＬに接続され、ソースがデータ線ＳＧＬＢに接続され、ドレインが液晶素子ＬＣＢの一端と保持容量素子ＣｓＢの一端に接続されている。ゲート線ＧＣＬはゲートドライバ５２Ａ（図示せず）に接続され、データ線ＳＧＬＡ，ＳＧＬＢはデータドライバ５３Ａ（図示せず）に接続されている。
【００７１】
［変形例１−２］
上記実施の形態では、５つのサブ画素ＳＰix（５つのサブ画素部分ＰＡおよび５つのサブ画素部分ＰＢ）によりサブ画素グループＰＧを構成したが、これに限定されるものではなく、これに代えて、例えば、図１９に示したように、１０のサブ画素部分ＰＡ、あるいは１０のサブ画素部分ＰＢによりサブ画素グループＰＧ１を構成してもよい。
【００７２】
［変形例１−３］
上記実施の形態では、サブ画素ＳＰix内においてサブ画素部分ＰＡ，ＰＢを垂直方向Ｙに並設したが、これに限定されるものではなく、これに代えて、例えば水平方向Ｘに並設してもよい。以下に、その詳細を説明する。
【００７３】
図２０は、本変形例に係る表示部６０における画素Ｐix2の配列を表すものである。各画素Ｐix2は、赤色（Ｒ）、緑色（Ｇ）、青色（Ｂ）にそれぞれ対応する３つのサブ画素ＳＰix2を有している。各サブ画素ＳＰix2は、サブ画素部分ＰＡ２，ＰＢ２を有している。この例では、サブ画素部分ＰＡ２，ＰＢ２は、サブ画素ＳＰix2内において水平方向Ｘに並設されている。
【００７４】
図２１は、表示部６０におけるサブ画素ＳＰix2と、バリア部１０における開閉部１２との位置関係を表すものである。開閉部１２は、この例では、水平方向Ｘに隣接する５つのサブ画素ＳＰix2（サブ画素グループＰＧ）に１つの割合で設けられている。そして、表示部２０は、立体視表示を行う際、サブ画素グループＰＧ内の５つのサブ画素部分ＰＡ２および５つのサブ画素部分ＰＢ２において、１０の視点映像に係る画素情報Ｐ１〜Ｐ１０をそれぞれ表示するようになっている。
【００７５】
通常表示（２次元表示）を行う場合には、１つのサブ画素ＳＰix2に係るサブ画素部分ＰＡ２，ＰＢ２は、上記第１の実施の形態に係る立体表示装置１等と同様に、１つの視点映像（２次元映像）の各画素情報に基づく表示を行う。
【００７６】
次に立体視表示を行う場合について説明する。
【００７７】
図２２は、本変形例における立体視表示の動作例を表すものである。表示部２０では、開状態（透過状態）になっている開閉部１２付近に配置された１０のサブ画素部分ＰＡ２，ＰＢ２が、画素情報Ｐ１〜Ｐ１０をそれぞれ表示する。そして、表示部２０の各サブ画素部分ＰＡ２，ＰＢ２から出た光は、開閉部１２によりそれぞれ角度が制限されて出力される。そして、観察者は、例えば左眼で画素情報Ｐ５を、右眼で画素情報Ｐ６を見ることとなる。このように、観察者が、左眼と右眼とで、画素情報Ｐ１〜Ｐ１０のうちの異なる画素情報を見るため、観察者は表示映像を立体的な映像として感じることができる。
【００７８】
［変形例１−４］
上記実施の形態では、サブ画素ＳＰixに、２つのサブ画素部分を設けたが、これに限定されるものではなく、これに代えて、例えば３つ以上のサブ画素部分を設けてもよい。
【００７９】
［変形例１−５］
上記実施の形態では、光の透過率を変化させることができる開閉部１１，１２を用いてバリア部１０を構成したが、これに限定されるものではなく、これに代えて、例えば、開閉部１１に対応する部分の光を遮断し、開閉部１２に対応する部分が開口して光を透過する、固定のバリアを用いてバリア部を構成してもよい。この場合でも、立体視表示の際には、上記実施の形態の場合（図１３等）と同様に表示を行うことができる。また、通常表示（２次元表示）の際には、例えば、開口部付近に配置された５つのサブ画素ＳＰix（サブ画素グループＰＧ）が、一つの画素情報を表示することにより、２次元映像を表示することができる。
【００８０】
＜２．第２の実施の形態＞
次に、第２の実施の形態に係る立体表示装置２について説明する。本実施の形態は、立体視表示の際のサブ画素グループの構成が、上記第１の実施の形態と異なるものである。すなわち、上記第１の実施の形態（図８）では、１０のサブ画素部分ＰＡ，ＰＢによりサブ画素グループＰＧを構成したが、これに代えて、本実施の形態では、５つのサブ画素部分ＰＡ，ＰＢによりサブ画素グループＰＧ３を構成している。その他の構成は、上記第１の実施の形態（図１など）と同様である。なお、上記第１の実施の形態に係る立体表示装置１と実質的に同一の構成部分には同一の符号を付し、適宜説明を省略する。
【００８１】
図２３は、立体表示装置２の表示部２０におけるサブ画素グループＰＧ３の一構成例を表すものである。サブ画素グループＰＧ３は、５つのサブ画素部分ＰＡ、あるいは５つのサブ画素部分ＰＢから構成されている。このサブ画素グループＰＧ３の大きさは、上記第１の実施の形態に係るサブ画素グループＰＧ（図８）や、上記サブ画素グループＰＧＲ（図１４）の大きさの半分である。
【００８２】
通常表示（２次元表示）を行う場合には、１つのサブ画素ＳＰixに係るサブ画素部分ＰＡ，ＰＢは、第１の実施の形態に係る立体表示装置１と同様に、１つの視点映像（２次元映像）の各画素情報に基づく表示を行う。
【００８３】
また、立体視表示を行う場合には、サブ画素グループＰＧ３内の５つのサブ画素部分ＰＡあるいは５つのサブ画素部分ＰＢは、５の視点映像に係る画素情報Ｐ１〜Ｐ５をそれぞれ表示する。その際、本実施の形態に係るサブ画素グループＰＧ３（図２３）の大きさは、上記比較例に係るサブ画素グループＰＧＲ（図１４）の大きさの半分であるため、立体視表示の際の解像度を２倍にすることができる。すなわち、本実施の形態に係る立体表示装置２は、上記比較例に係る立体表示装置１Ｒと比較して、表示できる視点映像の数を維持したまま、立体視表示の際の解像度を２倍にすることができる。
【００８４】
以上のように本実施の形態では、５つのサブ画素部分ＰＡ，ＰＢによりサブ画素グループＰＧ３を構成したので、立体視表示の際に、表示する視点映像の数を減らすことなく、解像度を高めることができ、画質を高めることができる。その他の効果は、上記第１の実施の形態の場合と同様である。
【００８５】
［変形例２−１］
上記実施の形態では、第１の実施の形態に係る表示部２０（図４）における５つのサブ画素部分ＰＡ，ＰＢによりサブ画素グループＰＧを変更したが、これに限定されるものではなく、これに代えて、第１の実施の形態の変形例１−３に係る表示部６０（図２０）における５つのサブ画素部分ＰＡ２，ＰＢ２によりサブ画素グループを構成してもよい。この場合の例を、図２４，２５に示す。
【００８６】
［変形例２−２］
例えば、本実施の形態に、上記第１の実施の形態の変形例１−１，１−２，１−４，１−５を適用してもよい。
【００８７】
＜３．適用例＞
次に、上記実施の形態および変形例で説明した立体表示装置の適用例について説明する。
【００８８】
図２６は、上記実施の形態等の立体表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る立体表示装置により構成されている。
【００８９】
上記実施の形態等の立体表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の立体表示装置は、映像を表示するあらゆる分野の電子機器に適用することが可能である。
【００９０】
以上、いくつかの実施の形態および変形例、ならびに電子機器への適用例を挙げて本技術を説明したが、本技術はこれらの実施の形態等には限定されず、種々の変形が可能である。
【００９１】
例えば、上記実施の形態等では、バックライト３０、表示部２０（６０）、バリア部１０は、この順に配置したが、これに限定されるものではなく、これに代えて、図２７に示したように、バックライト３０、バリア部１０、表示部２０（６０）の順に配置してもよい。
【００９２】
図２８は、上記第１の実施の形態に係る立体表示装置１に本変形を適用した場合の立体視表示の動作例を表すものであり、（Ａ）はサブ画素部分ＰＡの行における表示を示し、（Ｂ）はサブ画素部分ＰＢの行における表示を示し、（Ｃ）はサブ画素グループＰＧ全体における表示を模式的に示す。本変形例では、バックライト３０から射出した光は、まずバリア部１０に入射する。そして、その光のうち、開閉部１２を透過した光が表示部２０において変調されるとともに、１０の視点映像を出力するようになっている。
【００９３】
また、例えば、上記実施の形態等では、立体視表示を行う場合において、開閉部１２を常に開状態にしたが、これに限定されるものではなく、これに代えて、例えば、開閉部１２を複数のグループにグループ分けして、グループ間で時分割的に開閉駆動するようにしてもよい。例えば、開閉部１２を２つのグループにグループ分けし、グループ間で交互に開閉動作させた場合には、立体表示装置の解像度を２倍に高めることができる。
【００９４】
また、例えば、上記第１の実施の形態等では、立体表示装置は、立体視表示を行う場合において１０の視点映像を表示したが、これに限定されるものではなく、これに代えて、１１以上の視点映像を表示してもよいし、９以下の視点映像を表示してもよい。同様に、上記第２の実施の形態等では、立体表示装置は、立体視表示を行う場合において５つの視点映像を表示したが、これに限定されるものではなく、これに代えて、６以上の視点映像を表示してもよいし、４以下の視点映像を表示してもよい。
【００９５】
また、例えば、上記実施の形態では、パララックスバリア方式の立体表示装置を構成したが、これに限定されるものではなく、これに代えて、例えばレンチキュラーレンズ方式の立体表示装置を構成してもよい。以下にその詳細を説明する。
【００９６】
図２９は、上記第１の実施の形態に係る立体表示装置１をレンチキュラーレンズ方式に変更した立体表示装置３における立体視表示の動作例を表すものであり、（Ａ）はサブ画素部分ＰＡの行における表示を示し、（Ｂ）はサブ画素部分ＰＢの行における表示を示し、（Ｃ）はサブ画素グループＰＧ全体における表示を模式的に示す。立体表示装置３は、バックライト３０から射出し表示部２０を透過した光を屈折させる複数のレンズ９９を有するレンズ部９０を備えている。立体視表示を行う場合には、表示部２０では、各レンズ９９に対応する部分に配置された１０のサブ画素部分ＰＡ，ＰＢ（サブ画素グループＰＧ）が、１０の視点映像に対応する画素情報Ｐ１〜Ｐ１０をそれぞれ表示する。そして、表示部２０の各サブ画素部分ＰＡ，ＰＢから出た光は、レンズ９９により屈折され、それぞれの方向に向かって出力される。
【００９７】
なお、レンズ９９は、成形され、屈折率が固定されたレンズであってもよいし、例えば、液晶レンズや液体レンズのように、屈折率などの特性を可変に構成したものであってもよい。
【００９８】
また、上記実施の形態では、立体表示装置を例に本技術を説明したが、これに限定されるものではなく、例えば、本技術をマルチディスプレイに適用することも可能である。すなわち、複数の視点映像の代わりに、複数の観察者のための映像を表示し、例えば、表示画面の正面より左側から観察する映像と、表示画面の正面より右側から観察する映像が異なるようにすることにより、マルチディスプレイを実現することができる。
【００９９】
なお、本技術は以下のような構成とすることができる。
【０１００】
（１）それぞれが独立して表示駆動される複数のセグメントからなる画素が配列されてなる液晶表示部と、
前記液晶表示部からの光線または前記液晶表示部に向かう光線に対して制御を行う光線制御部と
を備え、
互いに異なる画素情報に由来する複数の画素信号が、前記画素内の前記複数のセグメントにそれぞれ供給される第１の表示モードを有する
表示装置。
【０１０１】
（２）前記互いに異なる画素情報は、互いに異なる視点画像における、対応する画素情報である
前記（１）に記載の表示装置。
【０１０２】
（３）前記互いに異なる画素情報は、同じもしくは互いに異なる視点画像における、異なる位置の画素情報である
前記（１）に記載の表示装置。
【０１０３】
（４）各画素内の前記複数のセグメントのそれぞれと対応づけられた輝度補正テーブルを有し、その輝度補正テーブルを用いて、前記画素情報を補正して前記液晶表示部を駆動する表示駆動部をさらに備えた
前記（１）から（３）のいずれかに記載の表示装置。
【０１０４】
（５）前記複数の補正テーブルは互いに等しく、
前記表示駆動部は、各セグメントに対応づけられた画素情報に基づいて画素信号を生成する
前記（４）に記載の表示装置。
【０１０５】
（６）第２の表示モードをさらに有し、
前記第２の表示モードにおいて、
前記複数の補正テーブルは互いに異なり、
前記表示駆動部は、各画素に対応づけられた画素情報に基づいて画素信号を生成する
前記（４）または（５）に記載の表示装置。
【０１０６】
（７）前記光線制御部は、光を透過または遮断するバリア部であり、
前記バリア部は、開状態と閉状態とを切り換え可能な、複数の第１系列の液晶バリアおよび複数の第２系列の液晶バリアを有する
前記（６）に記載の表示装置。
【０１０７】
（８）前記第１の表示モードでは、前記複数の第１系列の液晶バリアが透過状態になるとともに、前記複数の第２系列の液晶バリアが遮断状態になることにより、複数の視点映像を表示し、
前記第２の表示モードでは、前記複数の第１系列の液晶バリアおよび前記複数の第２系列の液晶バリアが透過状態になることにより、１つの視点映像を表示する
前記（７）に記載の表示装置。
【０１０８】
（９）前記光線制御部は、光を透過または遮断するバリア部であり、
前記バリア部は、複数の固定された開口部を有する
前記（１）から（６）のいずれかに記載の表示装置。
【０１０９】
（１０）前記光線制御部は、屈折率を切り換え可能な、複数の可変レンズを有する
前記（１）から（６）のいずれかに記載の表示装置。
【０１１０】
（１１）前記光線制御部は、複数の固定されたレンズを有する
前記（１）から（６）のいずれかに記載の表示装置。
【０１１１】
（１２）前記複数のセグメントは、各画素内において垂直方向に並設されている
前記（１）から（１１）のいずれかに記載の表示装置
【０１１２】
（１３）前記複数のセグメントは、各画素内において水平方向に並設されている
前記（１）から（１１）のいずれかに記載の表示装置
【０１１３】
（１４）各画素は、２つのセグメントを有する
前記（１）から（１３）のいずれかに記載の表示装置
【０１１４】
（１５）各セグメントは、液晶分子の配向方向が互いに異なる複数のドメインから成っている
前記（１）から（１４）のいずれかに記載の表示装置
【０１１５】
（１６）バックライトをさらに備え、
前記液晶表示部は、前記バックライトと前記光線制御部との間に配置されている
前記（１）から（１５）のいずれかに記載の表示装置。
【０１１６】
（１７）バックライトをさらに備え、
前記光線制御部は、前記バックライトと前記液晶表示部との間に配置されている
前記（１）から（１５）のいずれかに記載の表示装置。
【０１１７】
（１８）第１の表示モードにおいて、各画素内において独立して表示駆動される複数のセグメントのそれぞれに、互いに異なる画素情報に由来する複数の画素信号を供給し、
各セグメントが前記画素信号に基づいて表示を行い、
各セグメントからの光線または各セグメントに向かう光線に対して制御を行う
表示方法。
【０１１８】
（１９）表示装置と、
前記表示装置を利用した動作制御を行う制御部と
を備え、
前記表示装置は、
それぞれが独立して表示駆動される複数のセグメントからなる画素が配列されてなる液晶表示部と、
前記液晶表示部からの光線または前記液晶表示部に向かう光線に対して制御を行う光線制御部と
を有し、
互いに異なる画素情報に由来する複数の画素信号が、前記画素内の前記複数のセグメントにそれぞれ供給される第１の表示モードを有する
電子機器。
【符号の説明】
【０１１９】
１〜３…立体表示装置、１０…バリア部、１１，１２…開閉部、１３，１６…透明基板、１４，１８…偏光板、１５，１７…透明電極層、２０，６０…表示部、３０…バックライト、４１…制御部、４２…バックライト駆動部、４３…バリア駆動部、５０…表示駆動部、５１…タイミング制御部、５２…ゲートドライバ、５３…データドライバ、５４Ａ，５４Ｂ…ＬＵＴ、１１０，１２０…透明電極、２０１，２０５…透明基板、２０２…画素電極、２０３…液晶層、２０４…対向電極、２０６ａ，２０６ｂ…偏光板、２０７…駆動基板、２０８…対向基板、ＣＯＭ…共通電極、Ｃｓ，ＣｓＡ，ＣｓＢ…保持容量素子、ＣＳＬ…保持容量線、Ｄ１，Ｄ２…ドメイン、ＧＣＬ，ＧＣＬＡ，ＧＣＬＢ…ゲート線、ＬＣＡ，ＬＣＢ…液晶素子、Ｍ…液晶分子、ＰＡ，ＰＢ，ＰＡ２，ＰＢ２…サブ画素部分、ＰＧ，ＰＧ３，ＰＧ４…サブ画素グループ、Ｐix，Ｐix2…画素、Ｓdisp，Ｓdisp2，Ｓdisp3，Ｓ２Ｄ，Ｓ３Ｄ…映像信号、ＳＧＬ，ＳＧＬＡ，ＳＧＬＢ…データ線、ＳＰix，Ｓpix2…サブ画素、Ｔｒ，ＴｒＡ，ＴｒＢ…ＴＦＴ素子、φ…観察角度。
【図１】
2013057824.tif 000003
【図２】
2013057824.tif 000004
【図３】
2013057824.tif 000005
【図４】
2013057824.tif 000006
【図５】
2013057824.tif 000007
【図６】
2013057824.tif 000008
【図７】
2013057824.tif 000009
【図８】
2013057824.tif 000010
【図９】
2013057824.tif 000011
【図１０】
2013057824.tif 000012
【図１１】
2013057824.tif 000013
【図１２】
2013057824.tif 000014
【図１３】
2013057824.tif 000015
【図１４】
2013057824.tif 000016
【図１５】
2013057824.tif 000017
【図１６】
2013057824.tif 000018
【図１７】
2013057824.tif 000019
【図１８】
2013057824.tif 000020
【図１９】
2013057824.tif 000021
【図２０】
2013057824.tif 000022
【図２１】
2013057824.tif 000023
【図２２】
2013057824.tif 000024
【図２３】
2013057824.tif 000025
【図２４】
2013057824.tif 000026
【図２５】
2013057824.tif 000027
【図２６】
2013057824.tif 000028
【図２７】
2013057824.tif 000029
【図２８】
2013057824.tif 000030
【図２９】
2013057824.tif 000031